(57)【特許請求の範囲】
【請求項１】
機構板および前面枠等の開閉体を軸および軸孔より構成される上下ヒンジ機構により機枠等の装着体に回動自在に装着してなる遊技機において、
前記開閉体の上下いずれか一方のヒンジ機構を細径軸部と太径軸部を有する支持軸と、該支持軸の太径軸部に合致する大径軸孔とで構成し、前記細径軸部を他方のヒンジ機構を連繋する開閉体の装着用支軸とすると共に前記太径軸部を開閉体の回動軸とし、前記細径軸部に前記太径軸部の外方に突出する突出部を設けると共に、前記大径軸孔には前記突出部に合致する凹部を形成し、前記突出部によりヒンジ機構の連繋が外れないようにしたことを特徴とする遊技機。
【請求項２】
前記突出部は、大径軸孔を有するヒンジ部材を支持する戴置部と前記大径軸孔を太径軸部に誘導するガイド部とを有することを特徴とする請求項１記載の遊技機。
【請求項３】
前記他方のヒンジ機構は側方が開放した軸孔と該軸孔に連通して大径軸受部とを有するヒンジ部材と、前記軸孔の側方から臨む小径軸部と前記大径軸受部の上方から嵌り込む大径軸部とを有するヒンジ部材とからなることを特徴とする請求項１または２記載の遊技機。
【請求項４】
前記他方のヒンジ機構の軸孔と軸とが直線状となる位置決め手段を設けたことを特徴とする請求項１または２記載の遊技機。
【請求項５】
前記位置決め手段は、軸の挿通方向に向けて徐々に幅狭とし、軸の先端を軸孔に誘導するようにしたことを特徴とする請求項４記載の遊技機。
【発明の詳細な説明】
【０００１】
【発明の属する技術分野】
本発明は、機構板，前面枠等の開閉体が回動自在に装着される遊技機に関するものである。
【０００２】
【従来の技術】
従来の遊技機を代表してパチンコ遊技機として説明する。該パチンコ遊技機は、機枠の前面に開閉体としての前面枠が、また前面枠の裏面に開閉体としての機構板が軸ピンと軸孔によるヒンジ機構を介して着脱自在かつ回動自在に装着されている。前記機構板は、球タンクやタンクレールあるいは球払出装置，入賞球処理装置等の裏機構が集約して組付けられており、さらに前面枠には該機構板の他に遊技盤や球受皿が設けられて、全体の重量が非常に重いものとなっていた。そして、これらは上下２個所のヒンジ部材の軸ピンをほぼ同時に軸孔に嵌め込むようにして装着していた。また、作業性をよくするために上下軸ピンの長さを違えるようにしたものがある。
【０００３】
【発明が解決しようとする課題】
しかしながら、上記のようなパチンコ遊技機にあっては、前面枠および機構板等の開閉体を操って装着する作業は、例え上下軸ピンの長さを違えるようにしても常に大きく重い開閉体を支えながら行わなければならず、ヒンジ機構の微妙な位置合わせが困難であり、作業性が極端に悪いという問題があった。
【０００４】
そこで本発明はこのような課題を解決すべくなされたもので、その目的とするところは、簡単にかつ短時間で機構板および前面枠等の開閉体を装着できる遊技機を提供することにある。
【０００５】
【課題を解決するための手段】
上記目的を達成するために、請求項１記載の本発明は、機構板および前面枠等の開閉体を軸および軸孔より構成される上下ヒンジ機構により機枠等の装着体に回動自在に装着してなる遊技機において、前記開閉体の上下いずれか一方のヒンジ機構を細径軸部と太径軸部を有する支持軸と、該支持軸の太径軸部に合致する大径軸孔とで構成し、前記細径軸部を他方のヒンジ機構を連繋する開閉体の装着用支軸とすると共に、太径軸部を開閉体の回動軸とし、前記細径軸部に前記太径軸部の外方に突出する突出部を設けると共に、前記大径軸孔には前記突出部に合致する凹部を形成し、前記突出部によりヒンジ機構の連繋が外れないようにしたことを特徴とする。詳しくは大径軸孔が太径軸部に嵌り開閉体が回動自在に装着され、開閉体を上動しても突出部に大径軸孔外周が当接するためヒンジ部材が抜脱することがない。
【０００６】
請求項２記載の本発明は、請求項１記載の発明において、前記突出部は、大径軸孔を有するヒンジ部材を支持する戴置部と前記大径軸孔を太径軸部に誘導するガイド部とを有することを特徴とする。
【０００７】
請求項３記載の本発明は、請求項１または２記載の発明において、前記他方のヒンジ機構は側方が開放した軸孔と該軸孔に連通して大径軸受部とを有するヒンジ部材と、前記軸孔の側方から臨む小径軸部と前記大径軸受部の上方から嵌り込む大径軸部とを有するヒンジ部材とからなることを特徴とする。
【０００８】
請求項４記載の本発明は、請求項１または２記載の発明において、前記他方のヒンジ機構の軸孔と軸とが直線状となる位置決め手段を設けたことを特徴とする。
【０００９】
請求項５記載の本発明は、請求項４記載の発明において、前記位置決め手段は、軸の挿通方向に向けて徐々に幅狭とし、軸の先端を軸孔に誘導するようにしたことを特徴とする。
【００１０】
前記支持軸に開閉体を支持する戴置部を設けるのが好ましい。
【００１１】
前記大径軸孔が太径軸部に嵌合するように誘導するガイド手段を設けるのが好ましく、具体的にガイド手段は傾斜面である。また、ガイド手段は他方のヒンジ機構を連繋させた状態で開閉体を回動することにより大径軸孔を太径軸部に誘導嵌合する凹凸部である。
【００１２】
前記支持軸を円錐台とするのが好ましい。
【００１３】
前記大径軸孔に前記細径軸部が装着用支軸となる位置決め部を設けるのが好ましい。
【００１４】
上記のように構成された遊技機は、機構板および前面枠等の開閉体の装着時に細径軸部に大径軸孔を嵌めることで最初の位置決めが簡単となり、該細径軸部を支点として他方のヒンジ機構の軸および軸孔を連繋させ、大径軸孔を太径軸部に嵌めることで開閉体を開閉自在に装着することができる。また、大径軸孔が太径軸部に嵌合するように誘導するガイド手段を設けることにより、開閉体の装着作業の作業性がよくなる。
【００１５】
なお、本発明における細径軸部とは、太径軸部の最大径部より小径部を有するものであり、例え太径軸部が細径軸部と同じ小径部を有していても本発明においては何等影響するものではない。
【００１６】
【発明の実施の形態】
以下に本発明に係わるパチンコ遊技機の実施の形態を図面を参照しつつ説明する。図１はパチンコ遊技機の正面図、図２はパチンコ遊技機の裏面図、図３は前面枠を開放した状態のパチンコ遊技機の斜視図、図４は前面枠および機構板を開放した状態のパチンコ遊技機の斜視図である。図において１は装着体としてのパチンコ遊技機の機枠、２は機枠１の前面にヒンジ機構３ａ，３ｂを介して開閉自在に設けられる開閉体としての前面枠である。該前面枠２の裏面には遊技盤取付枠４を介して遊技盤５が回動式固定具２１により着脱自在に取付けられ、前面枠２の前面にはガラス扉枠６および前面板７が開閉自在に装着されており、該前面板７の前面に打球供給用の上部球受皿８が取付けられている。また、前面枠２の下部には上部球受皿８から溢出するパチンコ球を貯留する下部球受皿９およびパチンコ球の弾発力を調節する操作ハンドル１０が設けられている。なお、本実施の形態では前面枠２および遊技盤取付枠４は、合成樹脂により一体に形成されている。
【００１７】
また、前記遊技盤５の裏面には、合成樹脂により方形状に形成された開閉体としての機構板１１がヒンジ機構１２ａ，１２ｂにより装着体としての前面枠２に着脱開閉可能に装着されている。該機構板１１には窓孔１８が形成され、該窓孔１８の上部には球タンク１３が固着されており、該球タンク１３の下方にはタンクレール１４が設けられている。また、タンクレール１４下流端は屈曲レール１５を介して球払出装置１６に接続されており、該球払出装置１６の下方には払出されたパチンコ球を前記上部球受皿８に導く排出樋１７が設けられている。
【００１８】
また、前記窓孔１８の下方部には上面が開口した入賞球集合部１９が設けられている。そして、該入賞球集合部１９に集められた入賞球は、その出口と連通状に設けられ入賞球を一列で導き出す入賞球通路２０を介して機外に排出処理するようにしている。
【００１９】
一方、前記機構板１１の開放側の上下部に、いわゆる「ナイラッチ」と呼ばれる固定具２２，２２が取着され、遊技盤取付枠４の一側上下部に該固定具２２，２２に対応位置して係止部２３，２３が形成されている。該固定具２２，２２は、係止部２３，２３に係止することで機構板１１を遊技盤５の裏面に密着固定させることができるようになっている。
【００２０】
前記機枠１は、図５および図６に示すように、ＡＢＳ樹脂等の合成樹脂により形成される上板２５，下部成形材２６とアルミ合金等のダイカストにより成形される左右両側板２７，２８を個々独立に成形して構成され、下部成形材２６の前面に飾り板２９が装着される。また、本実施の形態において合成樹脂およびアルミ合金製の機枠としたが木製の機枠であっても、プレス加工およびマグネシウム合金のダイカストによる金属製の機枠であってもよい。
【００２１】
上板２５は、図６に示すように、左右両端に段部３０を介して差込杆部３１，３１を一体に延長突設し、この差込杆部３１の前面に所定幅の帯状の突条３２を複数設けると共に上面に差込突部３７を設けている。また、上板２５の外面に少なくとも一つの指掛け用の凹窪部３３を設けて、機枠１の持ち運びを便利にするのが好ましい。また、上板２５に機枠１を設置島に固定する固定長孔３４，３４を穿設している。
【００２２】
下部成形材２６は、板状部２６ａの左右両端に平面Ｌ字状の差込杆部３６，３６を一体に屈曲突設しており、その前面に所定幅の帯状の複数の突条３２を設けている。また、板状部２６ａ前面に後述する飾り板２９の位置決め突条３８および切り溝３９により弾性を備えた係止孔４０が設けられると共に、機枠１を設置島に固定する固定長孔３４，３４を穿設している。
【００２３】
前記左右両側の側板２７，２８は上下端を内方に屈曲してコ字型に形成され、上下の屈曲部は側方および後面が開口した差込部４２，４３としている。該差込部４２，４３の前面には前記突条３２，３２が嵌る嵌合孔４５が設けられ、差込部４２の後面に前記差込突部３７が嵌る切欠き凹部４６を設けている。そして、右側板２８には後述する施錠機構４７の上下フック４８，４８が係止する係止部４９，４９が一体に設けられ、左側板２７にはヒンジ機構３ａ，３ｂの上下固定ヒンジ部材５０ａ，５０ｂが一体に設けられている。また、上固定ヒンジ部材５０ａの前面を覆うように合成樹脂製の装飾カバー部材５１が装着される。なお、左右側板２７，２８は肉薄にして格子状リブＲを設けることにより強度を保ちながら軽量化を図っている。なお、ヒンジ機構３ａ，３ｂの上下固定ヒンジ部材５０ａ，５０ｂを機枠１と一体に設けるようにしたが、別体に形成し機枠１に取着するようにしてもよい。
【００２４】
前記飾り板２９は、合成樹脂により下部成形材２６の前面を覆う大きさに形成され、裏面下部に前記係止孔４０に嵌合する係止突起５２を設けている。５３は前記下固定ヒンジ部材５０ｂの前面を覆うカバー部であり、５４は前面枠２の下面を支えるすべり金具である。
【００２５】
上記構成の機枠１は、図７に示すように左右両側の側板２７，２８の後方から上板２５の差込杆部３１，３１を差込部４２，４２に差込み、突条３２および差込突部３７を嵌合孔４５および切欠き凹部４６に嵌め込んで左右両側の側板２７，２８が横方向に外れないようにしてビス着４４して門型に形成する。そして、同様に左右両側の側板２７，２８の後方から下部成形材２６の差込杆部３６，３６を差込部４３，４３に差込み、突条３２を嵌合孔４５に嵌め込んで左右両側の側板２７，２８が横方向に外れないように方形枠状に組付ける。次に、図８および図９に示すように飾り板２９の下部を前記位置決め突条３８に合致させ係止突起５２を係止孔４０に係止すると共に、裏面側からビス４４で左右側板２７，２８と共締めするように固着し機枠１が組立てられる。
【００２６】
一方開閉体としての前面枠２は、一側に機枠１に開閉自在に装着する上下一対のヒンジ機構３ａ，３ｂの可動ヒンジ部材５５ａ，５５ｂが設けられ、他側部開放側裏面には施錠機構４７が設けられている。該施錠機構４７は、前面枠２の一側部解放側の裏面に固着された取付基板５７に前面枠２を開閉するための摺動板５８をスプリング５９を介して摺動自在に設け、この摺動板５８の上下部にフック４８，４８を固着設置して該上下フック４８，４８を前記スプリング５９により下方へ付勢し、錠６０の操作により上下フック４８，４８を上方へ持ち上げるように設けられる。
【００２７】
しかして、前記上下ヒンジ機構３ａ，３ｂは、図１０に示すように装着体としての機枠１に設けられる上下固定ヒンジ部材５０ａ，５０ｂと開閉体としての前面枠２に設けられる上下可動ヒンジ部材５５ａ，５５ｂとにより構成される。上下固定ヒンジ部材５０ａ，５０ｂは前述したように左側板２７に一体に形成され、上固定ヒンジ部材５０ａは下面に補強塊を設け前方に突出した軸受部６１の側方にガイド部となる有底ガイド溝６２を有する軸孔６３を形成すると共に、該軸孔６３と連通しかつ有底ガイド溝６２と反対方向に開放した大径軸受部６４を設けている。また、下固定ヒンジ部材５０ｂは軸受板６５上面に所定高さの細径軸部６６ａと太径軸部６６ｂを有する凸型支持軸６６を設けている。なお、前記軸孔６３は、側方が開放していても有底であるため開閉体の荷重により軸孔６３が拡開したり変形したりすることがなく、確実にヒンジ機能を果すことができる。
【００２８】
一方、前面枠２の上可動ヒンジ部材５５ａは、図１０に示すように軸受板６７下面に小径軸部６８ａと前記大径軸受部６４と合致する大径軸部６８ｂを有する軸ピン６８を設け、下可動ヒンジ部材５５ｂは軸受板６９に前記太径軸部６６ｂと合致する大径軸孔７０を有すると共に該大径軸孔７０周縁に前記細径軸部６６ａと合致する位置決め部としての小径凹部７１を形成している。該小径凹部７１は具体的には大径軸孔７０のほぼ円周上を中心とした円弧としている。また、下可動ヒンジ部材５５ｂおよび下固定ヒンジ部材５０ｂに大径軸孔７０と太径軸部６６ｂとを合致嵌合させるガイド手段７２を設けている。該ガイド手段７２は、下固定ヒンジ部材５０ｂに設けられた軸部７２ａと下可動ヒンジ部材５５ｂに形成された凹部７２ｂとで構成され、前面枠２の閉鎖時に凹部７２ｂ内面が軸部７２ａに接触することにより、下可動ヒンジ部材５５ａの大径軸孔７０が下固定ヒンジ部材５０ｂの太径軸部６６ｂに誘導するように設けられている。
【００２９】
上下ヒンジ機構３ａ，３ｂは上記のように構成され、前面枠２を外枠１に軸支するには、図１１および図１３（ａ）実線に示すようにまず機枠１の下固定ヒンジ部材５０ｂの細径軸部６６ａに前面枠２の下可動ヒンジ部材５５ｂの小径凹部７１を合致させて細径軸部６６ａを装着用支軸とすると共に、太径軸部６６ｂ上面を下可動ヒンジ部材５５ｂの戴置部として位置決め支持し、次に図１１鎖線に示すように上可動ヒンジ部材５５ａの軸ピン６８の小径軸部６８ａを上固定ヒンジ部材５０ａのガイド溝６２から軸孔６３に当接するように嵌め込むことにより位置決めされると同時に外枠１と前面枠２とが連繋される。このときガイド溝６２により軸ピン６８を軸孔６３へ導きやすくしている。そして、細径軸部６６ａおよび小径軸部６８ａを支軸として図１３（ａ）鎖線に示すように前面枠２を閉鎖方向に回動すると、前記ガイド手段７２の凹部７２ｂの円弧面が軸部７２ａに接触し、それにともない図１３（ｂ）に示すように小径凹部７１が細径軸部６６ａから外れ、図１２および図１３（ｃ）に示すようにガイド手段７２の凹部７２ｂと軸部７２ａが嵌合することにより下可動ヒンジ部材５５ｂの大径軸孔７０が下固定ヒンジ部材５０ｂの太径軸部６６ｂに合致するように誘導されて下動し嵌合すると共に、上可動ヒンジ部材５５ａの大径軸部６８ｂも下動して上固定ヒンジ部材５０ａの大径軸受部６４に嵌合し、太径軸部６６ｂおよび大径軸部６８ｂを回動軸として前面枠２が機枠１に回動自在に軸支装着される。また、取外しは施錠機構４７を解除した状態で前面枠２を持ち上げれば簡単に外すことができる。
【００３０】
このように、上下ヒンジ機構３ａ，３ｂを同時に連繋嵌合することなく下ヒンジ機構３ｂを支点として前面枠２を機枠１にワンタッチで回動自在に装着することができるので前面枠２の荷重を受けながら連繋することがなく、しかも大径軸孔７０を細径軸部６６ａに嵌挿するようにしたので簡単に目安挿通できて最初の支点が決めやすく作業性がよい。なお、有底ガイド溝６２は外方に向うに従い拡開させることで小径軸部６８ａを軸孔６３に導きやすくなり上ヒンジ機構３ａを連繋しやすくすることができる。また、上ヒンジ機構３ｂは上記実施の形態に限定されることなく、図１４に示すように単一の太さの軸ピン６８と軸孔６３としてもよく、好ましくは同図鎖線に示すように前記した有底ガイド溝６２を利用して軸ピン６８を軸孔６３に誘導するようにするのがよく、さらに同図に示すように大径軸孔７０の嵌挿方向と上ヒンジ機構３ａの連繋方向（有底ガイド溝６２の開放方向）を同一方向とすることにより作業性がよくなる。また、本実施の形態において上固定ヒンジ部材５０ａをアルミ合金等のダイカストにより一体に成形してガイド溝を設けるようにしたが、上固定ヒンジ部材５０ａをプレス成形により成形し、同時にプレス加工によりガイド溝を形成するようにしてもよく、さらにガイド溝は上固定ヒンジ部材５０ａに一体的に形成することなく図１５に示すように上固定ヒンジ部材５０ａの前面を覆う装飾カバー部材５１等の別部材にガイド溝５１ａを形成したり機枠側に形成してもよい。
【００３１】
また、下固定ヒンジ部材５０ｂの支持軸６６は、図１６に示すように細径軸部６６ａと太径軸部６６ｂとをテーパー面を介して連設して円錐台としてもよく、小径凹部７１を細径軸部６６ａとテーパー面の交差部に押圧支持して支点として上ヒンジ機構３ａを連繋させ、この状態で下ヒンジ機構３ｂの押圧力を緩めることで傾斜面がガイド手段の働きをして自重により円錐台の傾斜面に沿って下動し大径軸孔７０が太径軸部６６ｂに嵌合するため、別途ガイド手段７２を設けて強制的に誘導させる必要がなくなる。なお、細径軸部６６ａと太径軸部６６ｂとを同心上に設けるようにしたが敢えて同心上に設けることはなく、軸心をずらして他方のヒンジ機構を連繋する支点時の可動ヒンジ部材の戴置面積を大きくして安定感を高めたり、細径軸部６６ａの長さをそのままにしてテーパー面の傾斜角αを変えるようにしてもよい。また、細径軸部６６ａは真円でなく楕円としてもよく、大径軸孔７０の直径より細く該大径軸孔７０に嵌めやすく他方のヒンジ機構を連繋する支点となればよい。さらに、細径軸部６６ａを少なくとも一面の平面を有するＤカットおよび角柱とするのが好ましく、細径軸部６６ａの平面部により大径軸孔７０の支持部が二点支持となり安定した状態で他のヒンジ機構を連繋することができる。当然のことながら角柱とは底面が多角形である柱体であり、三角柱，四角柱…多角柱であってもいいのはいうまでもない。
【００３２】
また、下可動ヒンジ部材５５ｂは、大径軸孔７０の周縁に小径凹部７１を設けただるま型としたが、図１７に示すように大径軸孔７０と小径凹部７１を接線状に連設した楕円状であってもよい。さらに、位置決め部を設けることなく大径軸孔７０のみとしてもよく、大径軸孔７０の周縁を細径軸部６６ａに適当に当接させて支点とすることができる。このとき、少なくとも細径軸部６６ａを図１８に示すように傾斜角αが４５°〜６０°程度の円錐台とするのが好ましく、上ヒンジ機構３ａを連繋後テーパー面により太径軸部６６ｂへ案内誘導することができる。また、大径軸孔７０内周下面を該支持軸６６の傾斜面に沿ったテーパー面とするのが好ましい。
【００３３】
また支持軸６６を円錐台とした際に、図１９および図２０に示すように傾斜面に細径軸部６６ａを支点とする戴置部７７を設け、支持状態を安定させるのが好ましく、このとき下可動ヒンジ部材５５ｂの軸孔は大径軸孔７０の周縁に前記戴置部７７に合致する扇形の凹部７８を形成している。このように構成したヒンジ機構は、図１９鎖線に示すように下可動ヒンジ部材５５ｂの大径軸孔７０の周縁を細径軸部６６ａに当接させると共に戴置部７７に支持させ安定した状態で上ヒンジ機構３ａを連繋させることができる。そして、この状態で前面枠２を回動させると図２０鎖線に示すように凹部７８が戴置部７７と合致して戴置部７７の支持から外れ支持軸６６のテーパー面により大径軸孔７０が太径軸部６６ｂへ案内され前面枠２が回動自在に装着される。なお、凹部７８は大径軸孔７０の半円内で戴置部７７より大きめに形成するのが好ましい。
【００３４】
また、図２１ないし図２３に示すように細径軸部６６ａを円錐台としてＤカットを施し、細径軸部６６ａの最大径部が太径軸部６６ｂの直径と等しくしてもよく、該細径軸部６６ａを他方のヒンジ機構を連繋する際の支軸とするときに、上下ヒンジ機構の軸ピンが直線状に垂直に設けられているため最初に図２３に示すように必然的に前面枠２を傾けて連繋しようとする。このため、該細径軸部６６ａの最大径部が太径軸部６６ｂの直径と等しくても図２２および図２３に示すように大径軸孔７０の縁部が戴置部７７で必ず支持される。そして、他方のヒンジ機構の軸孔と軸ピンが直線状になり前面枠２が垂直状になった時に自動的に大径軸孔７０が太径軸部６６ｂに嵌るようになり、戴置部７７にガイド手段となる傾斜をつけなくても開閉体を開閉自在に装着することができる。
【００３５】
なお、これまで上記実施の形態において、太径軸部６６ｂおよび大径軸孔７０を真円としたが、いずれか一方を角型としてもよい。例えば図２４および図２５に示すように大径軸孔７０を角型とした場合には太径軸部６６ｂは該大径軸孔の内接円であればよく、図２５鎖線に示すように角型の大径軸孔７０を図上Ｄカット状の細径軸部６６ａに当接させて上ヒンジ機構３ａを連繋する支点部とする。このとき、大径軸孔７０が角孔でありしかも細径軸部６６ａにＤカット面が施してあるため、支軸としての接触部が面接触となりより安定した状態で上ヒンジ機構３ａを連繋することができる。そして、上ヒンジ機構３ａを連繋後、戴置部７７の傾斜がガイド手段となり角型の大径軸孔７０が太径軸部６６ｂに嵌り開閉体が開閉自在に装着される。なお、戴置部７７の傾斜は細径軸部６６ａと太径軸部６６ｂとの交線位置により変更するのが好ましく、交線位置が太径軸部６６ｂの中心部より奥に位置して戴置部が広い場合には傾斜角を４５°〜６０°程度の傾斜にしたり、交線位置が太径軸部６６ｂの中心部より手前に位置して戴置部が狭い場合には傾斜角を１５°〜３０°程度のゆるやかな傾斜にしたりするのがよい。
【００３６】
また、大径軸孔７０を角孔とすると必ず太径軸部６６ｂの直径より長径の大径部が存在することになるため、見た目にもより細径軸部６６ａに嵌め易くなる。なお、大径軸孔７０を細径軸部６６ａに嵌める際に、図上Ｄカット面の幅より奥行き側の方が大径軸孔７０に対する寸法が小さいため、当然のことながらＤカット面の側方より嵌めた方が細径軸部６６ａに対し狙いやすくなる。さらに、図２６に示すように大径軸孔７０の角部と細径軸部６６ａの角部を支点とすることにより二面で接触支持することになり、より安定した位置決めが可能となる。また、逆に太径軸部６６ｂを真円でなく角柱とすることも可能でありこのとき大径軸孔７０は該太径軸部６６ｂの外接円であればよい。
【００３７】
なお、本発明における細径軸部６６ａとは、太径軸部６６ｂの最大径部より小径部を有する軸部であり、図２７に示すように例え太径軸部６６ｂが細径軸部６６ａと同じ小径部を有していても本発明においては何等影響するものではない。また、上記した二点支持および一面，二面支持において太径軸部６６ｂの最大径部で支持するのが最も安定するのはいうまでもない。
【００３８】
図２８ないし図３０は、開閉体としての前面枠２が上下ヒンジ機構により連繋後、無用に外れないようにした実施の形態を示している。この実施の形態において、図２８に示すように支持軸６６の細径軸部６６ａ途中に該細径軸部６６ａを支点とするためのリブ状の戴置部７７を設けると共に、下端を太径軸部６６ｂの外周から突出させ該戴置部７７の外側をテーパー面とし、大径軸孔７０が太径軸部６６ｂに嵌合するように誘導するガイド手段としてのガイド部７９としている。一方、可動ヒンジ部材５５ｂの大径軸孔７０には前記実施の形態と同様に前記戴置部７７に合致する凹部７８を形成しており、該凹部７８の外径は少なくとも戴置部７７上面の外径または太径軸部６６ｂの外周から突出した径のいずれか大きい方より大径となっている。また、当然のことながら太径軸部６６ｂから突出した戴置部７７下面までの太径軸部６６ｂの長さは可動ヒンジ部材５５ｂの大径軸孔７０部の厚さより長い寸法が選ばれる。
【００３９】
次にこの作用を説明する。まず図２９に示すように下可動ヒンジ部材５５ｂの大径軸孔７０の周縁を細径軸部６６ａに当接させると共に戴置部７７に支持させ安定した状態で上ヒンジ機構３ａを連繋して前面枠２を回動すると、図２９鎖線のように凹部７８が戴置部７７と合致しガイド部７９の傾斜により図３０に示すように下可動ヒンジ部材５５ｂが下動する。そしてさらに下動して図３０鎖線のように大径軸孔７０が太径軸部６６ｂに嵌合し前面枠２が回動自在に装着される。このように回動自在に装着された前面枠２は、図２８に示すようにこの凹部７８と戴置部７７が合致する箇所以外では同図鎖線のように大径軸孔７０の外周が太径軸部６６ｂの外周から突出戴置部７７の下端に当接して下ヒンジ機構３ｂの連繋を解除することがないため、前面枠２の開閉時に無用に外れることがない。
【００４０】
図３１および図３２は軸ピン７５と軸孔７４が直線状となる位置決め手段を設けた実施の形態を示し、上ヒンジ機構３ａを軸受板６１に軸孔７４を設けた固定ヒンジ部材５０ａと、軸受板６７に軸ピン７５を設けた可動ヒンジ部材５５ａとで構成している。該位置決め手段は、軸受板６１と前面枠２に軸挿通方向である上方に向うに従い徐々に幅狭する一対の突条７６，７６とで構成されており、下ヒンジ機構３ｂを支点とした状態で前記突条７６，７６間に固定ヒンジ部材５０ａの軸受板６１を当接して前面枠２を下動することにより幅狭する突条７６，７６に軸受板６１が誘導され、軸ピン７５と軸孔７４が直線状となり軸ピン７５が軸孔７４に確実に案内され嵌合する。このように、下方が拡開した位置決め手段であるため、一点決めとならずおよその見当で軸受板６１を拡開した突条７６，７６間に適当に当接させればよく他方の上ヒンジ機構３ａを連繋する作業性がより向上する。また、位置決め手段は前面枠２の側面に設けるようにしてもよく、さらに機枠１側に設けるようにして可動ヒンジ部材５５ａの軸受板６７が当接するようにしてもよい。このとき位置決め手段は、前述とは逆に下方に向うに従い徐々に幅狭するように設ければよい。なお、位置決め手段は突条に限られることなく溝状に設けるようにしたり、壁状に設けるようにしてもよい。さらに、ヒンジ部材５０ａ，５５ａを直接当接させて位置決め手段とすることなく別途位置決め手段に当接する当接部材を設けるようにしてもよい。
【００４１】
以上説明したが上記実施の形態に限定されるものではなく、例えば上ヒンジ機構３ａを支点として下ヒンジ機構３ｂを連繋するようにしてもよい。また、上記した実施の形態において、下可動ヒンジ部材５５ｂの大径軸孔７０を上方から下固定ヒンジ部材５０ｂの支持軸６６に嵌めるようにしたが、軸孔と軸ピンの関係を逆の構造にして下可動ヒンジ部材５５ｂの支持軸６６を下固定ヒンジ部材５０ｂの大径軸孔７０に嵌め込むようにして、細径軸部６６ａを大径軸孔７０に挿通して支点軸とした状態で上ヒンジ機構３ａを連繋するようにしてもよい。
【００４２】
また、実施の形態において開閉体として前面枠２について説明したが、開閉体を機構板１１として上記上下ヒンジ機構３ａ，３ｂの実施の形態を上下ヒンジ機構１２ａ，１２ｂに適応することができる。さらに開閉体は前面に打球供給用の上部球受皿８が設けられた前面板７としてもよく、遊技機において上下ヒンジ機構により開閉自在に設けられるものであればすべてに適応可能である。
【００４３】
【発明の効果】
以上に述べたように本発明に係わる遊技機は、前面枠等の開閉体のいずれか一方のヒンジ機構を細径軸部と太径軸部を有する支持軸と、該支持軸の太径軸部に合致する大径軸孔とで構成し、前記細径軸部を開閉体の装着用支軸として他方のヒンジ機構を連繋すると共に、太径軸部と大径軸孔を開閉体の回動軸としたものであるから、細径軸部と大径軸孔とで最初の支点決めが簡単となり開閉体を装着する作業性を向上させることができる。
【図面の簡単な説明】
【図１】パチンコ遊技機の正面図である。
【図２】パチンコ遊技機の裏面図である。
【図３】前面枠を開放した状態のパチンコ遊技機の斜視図である。
【図４】前面枠および機構板を開放した状態のパチンコ遊技機の斜視図である。
【図５】機枠の斜視図である。
【図６】機枠の分解斜視図である。
【図７】機枠の要部断面図である。
【図８】機枠の要部断面図である。
【図９】機枠の要部断面図である。
【図１０】ヒンジ機構の分解斜視図である。
【図１１】ヒンジ機構部分の作用側断面図である。
【図１２】ヒンジ機構部分の要部側面図である。
【図１３】（ａ）〜（ｂ）は下ヒンジ機構の作用説明図である。
【図１４】他の実施の形態のヒンジ機構を示す側断面図である。
【図１５】他の実施の形態の上ヒンジ機構の斜視図である。
【図１６】他の実施の形態の支持軸の斜視図である。
【図１７】他の実施の形態の軸孔を示す斜視図である。
【図１８】他の実施の形態の軸孔を示す要部断面図である。
【図１９】他の実施の形態の支持軸の斜視図である。
【図２０】図１９の作用を示す平面図である。
【図２１】他の実施の形態のヒンジ機構の斜視図である。
【図２２】図２１の平面図である。
【図２３】図２１の側断面図である。
【図２４】他の実施の形態のヒンジ機構の斜視図である。
【図２５】図２４の作用を示す斜視図である。
【図２６】他の実施の形態のヒンジ機構の平面図である。
【図２７】他の実施の形態のヒンジ機構の斜視図である。
【図２８】他の実施の形態のヒンジ機構の斜視図である。
【図２９】図２８の作用を示す斜視図である。
【図３０】図２８の作用を示す斜視図である。
【図３１】位置決め手段を示す斜視図である。
【図３２】図３１の作用を示す要部断面図である。
【符号の説明】
１                    機枠（装着体）
２                    前面枠（装着体，開閉体）
３ａ，３ｂ            ヒンジ機構
１１                  機構板（開閉体）
１２ａ，１２ｂ        ヒンジ機構
５０ａ，５０ｂ        上下固定ヒンジ部材
５５ａ，５５ｂ        上下可動ヒンジ部材
６１                  軸受部
６２                  ガイド溝
６３                  軸孔
６４                  大径軸受部
６６                  支持軸
６６ａ                細径軸部（装着用支軸）
６６ｂ                太径軸部（回動軸）
６７                  軸受板
６８                  軸ピン
６８ａ                小径軸部
６８ｂ                大径軸部
７０                  大径軸孔
７１                  小径凹部（位置決め部）
７２                  ガイド手段
７２ａ                軸部（ガイド手段）
７２ｂ                凹部（ガイド手段）
７４                  軸孔
７５                  軸ピン
７６，７６            突条（位置決め手段）
７７                  戴置部
７９                  ガイド部（ガイド手段）
【図１】
0003631441.tif 000002
【図２】
0003631441.tif 000003
【図３】
0003631441.tif 000004
【図４】
0003631441.tif 000005
【図５】
0003631441.tif 000006
【図６】
0003631441.tif 000007
【図７】
0003631441.tif 000008
【図８】
0003631441.tif 000009
【図９】
0003631441.tif 000010
【図１０】
0003631441.tif 000011
【図１１】
0003631441.tif 000012
【図１２】
0003631441.tif 000013
【図１３】
0003631441.tif 000014
【図１４】
0003631441.tif 000015
【図１５】
0003631441.tif 000016
【図１６】
0003631441.tif 000017
【図１７】
0003631441.tif 000018
【図１８】
0003631441.tif 000019
【図１９】
0003631441.tif 000020
【図２０】
0003631441.tif 000021
【図２１】
0003631441.tif 000022
【図２２】
0003631441.tif 000023
【図２３】
0003631441.tif 000024
【図２４】
0003631441.tif 000025
【図２５】
0003631441.tif 000026
【図２６】
0003631441.tif 000027
【図２７】
0003631441.tif 000028
【図２８】
0003631441.tif 000029
【図２９】
0003631441.tif 000030
【図３０】
0003631441.tif 000031
【図３１】
0003631441.tif 000032
【図３２】
0003631441.tif 000033